【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
食品を加熱する加熱部と、前記加熱部を制御する制御手段と、加熱時間の入力と入力された加熱時間だけ前記制御手段による加熱制御を行わせるタイマースイッチと、最大加熱時間を記憶する記憶手段とを備え、前記制御手段は、前記タイマースイッチにより設定された時間と前記最大加熱時間とのいずれか少ない方が経過すると前記加熱部による加熱を停止させる時間制御手段を有してなる加熱装置。
【請求項２】
前記加熱部による加熱の停止時に、前記記憶手段が、前記加熱部による加熱の開始から停止までの時間を新たな最大加熱時間として記憶する請求項１記載の加熱装置。
【請求項３】
時計手段を備え、前記記憶手段は前記時計手段で計時した時間帯に応じて前記最大加熱時間を記憶する構成とした請求項２記載の加熱装置。
【手続補正２】
【補正対象書類名】明細書
【補正対象項目名】全文
【補正方法】変更
【補正の内容】
【発明の詳細な説明】
【発明の名称】加熱装置
【技術分野】
【０００１】
本発明は、タイマースイッチを有する加熱装置における加熱出力の時間制御方法に関するものである。
【背景技術】
【０００２】
従来この種のタイマースイッチを搭載した加熱装置は、操作部に設けたタイマースイッチを回転させて加熱時間を設定するとタイマースイッチがＯＮして加熱を開始する。加熱が開始するとタイマースイッチが加熱時間を設定した方向と逆方向に回転して、設定した加熱時間が経過するとタイマースイッチがＯＦＦし自動で加熱を停止している（例えば特許文献１参照）。
【特許文献１】実公平７−２４７６６号公報
【発明の開示】
【発明が解決しようとする課題】
【０００３】
しかしながら、前記従来の構成では、製造時のバラツキにより操作部とタイマースイチの隙間の余裕がなくなりタイマースイッチが操作部と当たる事でタイマースイッチが回転しなくなったり、使用することにより食品カス等の異物がタイマースイッチに入ったり、長時間使用することによりタイマースイッチの内部の磨耗によりタイマースイッチが回転しなくなり、タイマースイッチが加熱時間を経過してもＯＦＦしなくなって、加熱が停止せず、加熱物の過加熱という課題を有していた。
【０００４】
本発明は、前記従来の課題を解決するもので、誰でも使いやすく、使用頻度や操作状況に応じて最大加熱時間を判断して、タイマースイッチの異常が発生しても、加熱物の過加熱、または加熱物が燃焼してしまうことのない加熱装置を提供することを目的とする。
【課題を解決するための手段】
【０００５】
前記従来の課題を解決するために、本発明の加熱装置は、食品を加熱する加熱部と、前記加熱部を制御する制御手段と、加熱時間の入力と入力された加熱時間だけ前記制御手段による加熱制御を行わせるタイマースイッチと、最大加熱時間を記憶する記憶手段とを備え、前記制御手段は、前記タイマースイッチにより設定された時間と前記最大加熱時間とのいずれか少ない方が経過すると前記加熱部による加熱を停止させる時間制御手段を有する構成としてある。
【０００６】
これによって、タイマースイッチの異常が発生しても、加熱物の過加熱、または加熱物が焼損してしまうことのない加熱装置を提供することができる。
【０００７】
また、使用頻度を記憶する記憶手段を有しているため、使用者が使用する加熱時間に応じて制御手段から加熱部への出力した時間が可変にする機能を有することにより、使用者の使用状況に応じた適正な所定時間が設定できるので、タイマースイッチの異常が発生しても、各使用者に応じた加熱時間の設定が可能になるため、加熱物の過加熱してしまうことのない加熱装置を提供することができる。
【発明の効果】
【０００８】
本発明の加熱装置は、タイマースイッチの異常が発生しても、加熱物の過加熱されることなく加熱が停止することができ、操作性、安全性の向上を図ることができる。
【発明を実施するための最良の形態】
【０００９】
第１の発明は、食品を加熱する加熱部と、前記加熱部を制御する制御手段と、加熱時間の入力と入力された加熱時間だけ前記制御手段による加熱制御を行わせるタイマースイッチと、最大加熱時間を記憶する記憶手段とを備え、前記制御手段は、前記タイマースイッチにより設定された時間と前記最大加熱時間とのいずれか少ない方が経過すると前記加熱部による加熱を停止させる時間制御手段を有する構成としてあり、タイマースイッチの異常が発生しても、加熱物の過加熱、または加熱物が焼損してしまうことのない加熱装置を提供することができる。
【００１０】
第２の発明は、特に、第１の発明の加熱装置において、前記加熱部による加熱の停止時に、前記記憶手段が、前記加熱部による加熱の開始から停止までの時間を新たな最大加熱時間として記憶するものであり、利用者の使用状況に応じた適正な加熱時間が設定できるので、各利用者の応じて好みの加熱調理が可能となるという利点もある。
【００１１】
第３の発明は、特に、第２の発明の加熱装置において、記憶手段として、電源ＯＦＦ時にも消去されない記憶媒体を用いることにより、待機電力ＯＦＦ機能等も搭載した加熱装置においても、記憶内容が消去されないため、各利用者に応じた加熱時間の設定が可能になる。
【００１２】
第４の発明は、特に、第３の発明の加熱装置において、記憶手段として、着脱可能な記憶媒体を用いることにより、加熱装置を修理、買い替え等により加熱装置が変わっても、記憶内容が着脱可能な記憶媒体に記憶されるので、新しい加熱装置でも今までの各利用者に応じた加熱時間の設定が可能となり、利便性の向上を図ることができる。
【００１３】
第５の発明は、特に、第４の発明の加熱装置において、着脱可能な記憶媒体として、カード式の記憶媒体を備えることにより、利用者が、加熱装置を修理、買い替えて新しい加熱装置に使用する際、容易にコピーすることが可能になり、新しい加熱装置へ容易に移行することができ、さらなる利便性の向上を図ることができる。
【００１４】
第６の発明は、特に、第２の発明の加熱装置において、時計手段を備え、記憶手段は時計手段で計時した時間帯に応じて最大加熱時間を記憶する構成としたことにより、加熱装置を使用する時間帯毎に記憶するので、より利用者の使用状況に応じた適正な加熱時間の設定が可能となる。
【００１５】
以下本発明の実施の形態について、図面を参照しながら説明する。なお、この実施の形態によって本発明が限定されるものではない。
【００１６】
（実施の形態１）
図１は、本発明の第１の実施の形態における加熱装置のブロック図、図２は代表的な加熱装置の外観構成図を示す。
【００１７】
図２において、加熱装置の本体１の前面には、開閉扉２と、操作パネル３を設け、この操作パネル３にタイマー軸に装着したタイマー操作用のタイマースイッチ４と、タイマースイッチ４の周囲に設けたタイマー目盛り５が設けてある。このタイマースイッチ４によって指示される制御手段６は図１に示すように、タイマースイッチ１からの信号に基づき加熱部８を制御すると共に時間制御を行う時間制御手段７を有する。この時間制御部７はタイマースイッチ４からのＯＮ信号を受けて時間をカウントすると共に加熱部８を加熱動作させ、ＯＦＦ信号を受けて加熱部８を停止させると共にその加熱時間を記憶手段９に出力し、記憶手段９はその時間を記憶するようになっている。また、上記時間制御手段７は制御手段６に内蔵されている時計手段１０からの信号に基づき上記加熱が何時行われたかの信号を記憶手段９に出力してこれを記憶させるようになっている。さらにこの実施の形態では上記時間制御手段７は制御手段６にご飯温め、ハンバーグ加熱等の調理メニューを選択する調理メニュー選択手段１１からの調理メニュー信号に基づいて上記核動作を行うようになっている。また、記憶手段９は時間制御手段７からの加熱時間を記憶するに際し、この実施の形態では調理メニューごとに最大の加熱時間を記憶更新するようになっている。
【００１８】
以上のように構成された加熱装置について、図１、図２を用いて以下にその動作、作用を説明する。
【００１９】
まず、操作パネル３にあるタイマースイッチ４で直接タイマーを操作して加熱時間を設定、すなわちタイマー目盛り５に合わせると、タイマースイッチ４は制御手段６内にある時間制御手段７にＯＮ信号を送る。制御手段６はタイマースイッチ４から入力信号があると時間制御手段７に時間計測開始の指示を出すと同時に、加熱部８を制御して加熱を開始する。タイマースイッチ４によりタイマー目盛り５に合わせた加熱時間の方向と逆方向に回転して、タイマースイッチ４により設定した加熱時間が経過すると、タイマースイッチ４がＯＦＦし、加熱部８による加熱を停止する。このときタイマースイッチ４が何らかの原因でＯＦＦしない場合は、前記タイマースイッチ４により入力信号が有って加熱部８が加熱を開始してから、記憶手段９に記憶されている最大加熱時間が経過すると、自動的に加熱を停止する。そして上記いずれの場合も時間制御手段７は、加熱を停止させると、加熱部８による加熱時間を記憶手段９に送信し、加熱時間毎の使用頻度および総使用回数等を記憶する。
【００２０】
図３は上記加熱制御の主要部のみのフローチャートである。まず、ステップＳ１で、タイマースイッチ４を操作して加熱時間が設定され、制御手段６へＯＦＦからＯＮの信号入力があるか否かの判断がなされ、ＯＦＦからＯＮへの信号変化があればステップＳ２に移行する。ステップＳ２では、制御手段６は加熱部８を制御して、加熱を開始する。続いて、ステップＳ３に移行し、記憶手段９に記憶されている最大加熱時間が設定される。これにより利用者に応じた最適な最大加熱時間が設定される。
【００２１】
加熱装置がタイマースイッチ４により設定された加熱時間が経過するまで加熱している間は、ステップＳ４に移行し、タイマースイッチ４によりタイマー目盛り５に合わせた加熱時間の方向と逆方向に回転して、タイマースイッチ４により設定した加熱時間が経過する、すなわち、タイマースイッチ４からＯＮからＯＦＦへの信号入力があるか否かの判断を行い、ＯＮからＯＦＦへの信号変化がなければステップＳ５に移行する。次に、ステップＳ５ではステップＳ３で設定された最大加熱時間が経過しているか否かの判断を時間制御手段７で実施し、時間制御手段７で最大加熱時間が経過してないと判定されれば、ステップＳ４に戻り、タイマースイッチ４からＯＮからＯＦＦへの信号変化があるか、或いは、最大加熱時間が経過するまで、ループする。
【００２２】
ステップＳ５で時間制御手段７が最大加熱時間を経過したのを判定すれば、ステップＳ６に移行し、制御手段６は、加熱部８を制御して、加熱の停止を行う。なお、ステップＳ４とステップＳ５はどちらが先でも構わない。
【００２３】
次に、ステップＳ４でタイマースイッチ４により設定した加熱時間が経過してタイマースイッチ４からＯＮからＯＦＦへの信号変化があると、ステップＳ７に移行し、時間制御手段７で計測した加熱時間、すなわち、ステップＳ２で加熱開始してからステップＳ７に至るまでの加熱時間を記憶手段９へ記憶する。
【００２４】
以上のように本実施の形態においては、タイマースイッチ４により設定した加熱時間が経過する時間と、記憶手段９に記憶されている最大加熱時間が経過する時間とを比較して早い方で、自動的に加熱を停止することにより、タイマースイッ４チが故障していても、加熱物の過加熱、または加熱物が焼損等を防ぐことができ、安全性、操作性が大幅に向上する。
【００２５】
さらに、この実施の形態の場合、時間制御手段７は調理メニュー選択手段１１で選択された同じ調理メニューの場合のすでに記憶されている加熱時間を随時変更、すなわち使用頻度に応じて変えていくから、利用者の使用状態に応じた最適な最大加熱時間が設定されることになる。したがって、タイマースイッチ４が故障していても、加熱を停止して加熱物の過加熱、または焼損等を防止できる上に、利用者好みの最適な加熱調理が可能となる。
【００２６】
また、時計手段１０を備えていて当該時計手段から現在時刻を時間制御手段７に出力するようにしているので、加熱時間毎の使用頻度および総使用回数等を、加熱装置を使用する時間帯に応じて記憶させることができ、朝、昼、夜で利用者に応じた最適な最大加熱時間の設定ができ、より利用者好みの加熱調理と、安全性、操作性を向上した加熱装置を提供することができる。
【００２７】
なお、記憶手段９は、制御手段６内のＲＡＭを使用しても構わないが、電源ＯＦＦ時にも消去されない不揮発性メモリ等を使用することにより、待機電力ＯＦＦ仕様を搭載した電子レンジにおいても、常に記憶している情報を初期値に設定することができるため、利便性を低下させなくて良い。
【００２８】
また、本実施の形態では、記憶手段９にＩＣカード等の着脱可能な出力記憶手段を使用することにより、他の電子レンジでも、同様の設定を使用することが可能になり、さらに操作性を向上することができる。
なお、利用者に応じた最適な最大加熱時間の算出方法としては、今まで加熱装置で使用した最大加熱時間とする方法や、今まで加熱装置で使用した最大加熱時間毎の使用頻度および総使用回数から、一番使用頻度の多い最大加熱時間とする方法などがある。また、最大加熱時間毎の使用頻度および総使用回数を、利用者が使用する時間帯毎に応じて記憶することで、朝、昼、夜で利用者に応じた最適な最大加熱時間にする方法や、利用者が使用する季節毎に応じて記憶することで、春、夏、秋、冬で利用者に応じた最適な最大加熱時間にする方法がある。また、利用者が使用する季節と使用する時間帯に応じて記憶することで、さらに、利用者に応じた最適な最大加熱時間にする方法がある。
【産業上の利用可能性】
【００２９】
以上のように、本発明にかかる加熱装置は、利用者の使用状況に応じて最大加熱時間を可変にすることにより、タイマースイッチが故障していても、加熱を停止することで加熱物の過加熱、または焼損等のない安全性、操作性が大幅に向上した加熱装置を提供することができる。
【図面の簡単な説明】
【００３０】
【図１】本発明の実施の形態１における加熱装置のブロック図
【図２】同加熱装置の外観構成図
【図３】同加熱装置のフローチャート
【符号の説明】
【００３１】
４  タイマースイッチ
６  制御手段
７  時間制御手段
８  加熱部
９  記憶手段